(57)【要約】【課題】番組予約内容の確認や内容変更に必要な操作を簡略化することができる「番組予約システム」を提供すること。【解決手段】車両に搭載された移動受信機としてのデジタル放送受信機１００と、車両以外の場所に設置された固定受信機としてのデジタル放送受信機とが備わっている。デジタル放送受信機１００は、番組記録または番組視聴の予約設定を行う録画・視聴設定部２０ａと、録画・視聴設定部２０ａによる設定内容にしたがって番組記録または番組視聴を実行する番組記録再生処理部２４、ハードディスク装置２６と、電源切断時に、番組記録または番組視聴が実行されていない予約番組が含まれる予約番組リストを表示させる録画・視聴リスト処理部２０ｂとを備えている。【選択図】図２
2007180897.tif 000002
【特許請求の範囲】
【請求項１】
車両に搭載された移動受信機と、車両以外の場所に設置された固定受信機とが備わった番組予約システムであって、
前記移動受信機は、
番組記録または番組視聴の予約設定を行う第１の予約内容設定手段と、
前記第１の予約内容設定手段による設定内容にしたがって番組記録または番組視聴を実行する第１の番組記録／視聴手段と、
電源切断時に、前記第１の予約内容設定手段によって設定された予約内容であって前記第１の番組記録／視聴手段による番組記録または番組視聴が実行されていない予約番組リストを表示させるリスト処理手段と、
を備えることを特徴とする番組予約システム。
【請求項２】
請求項１において、
前記電源切断時は、車両のアクセサリースイッチがオフされたときであることを特徴とする番組予約システム。
【請求項３】
請求項１において、
前記リスト処理手段は、前記予約番組リストを所定時間表示させるとともに、この表示時間内に利用者による何らかの操作がなされない場合には前記予約番組リストの表示を終了させることを特徴とする番組予約システム。
【請求項４】
請求項１〜３のいずれかにおいて、
前記リスト処理手段によって前記予約番組リストが表示されているときに、この予約番組リストに含まれる番組予約の内容を変更する予約内容変更手段をさらに備えることを特徴とする番組予約システム。
【請求項５】
請求項４において、
前記予約番組リストには、番組毎の所要時間とともに、番組毎の予約の削除指示が選択可能な状態で含まれており、
前記予約内容変更手段は、操作部を用いて前記削除指示が選択された番組の予約を取り消すことを特徴とする番組予約システム。
【請求項６】
請求項４において、
前記予約番組リストには、番組毎の所要時間とともに、番組毎の予約情報を前記固定受信機に向けて送信する転送指示が選択可能な状態で含まれており、
前記移動受信機は、操作部を用いて前記転送指示が選択された番組に対応する予約情報を前記固定受信機に向けて送信する予約情報送信手段をさらに備え、
前記固定受信機は、前記移動受信機から送られてくる予約情報を受信する予約情報受信手段と、前記予約情報受信手段によって受信した予約情報に基づいて番組記録または番組視聴の予約設定を行う第２の予約内容設定手段と、前記第２の予約内容設定手段による設定内容にしたがって番組記録または番組視聴を実行する第２の番組記録／視聴手段とを備えることを特徴とする番組予約システム。
【請求項７】
請求項４において、
前記予約番組リストには、番組毎の所要時間とともに、番組毎の予約情報を挿抜可能な情報記録媒体に書き込む転送指示が選択可能な状態で含まれており、
前記移動受信機は、操作部を用いて前記転送指示が選択された番組に対応する予約情報を前記情報記録媒体に書き込む予約情報書込手段をさらに備え、
前記固定受信機は、前記情報記録媒体に書き込まれた予約情報を読み出す予約情報読出手段と、前記予約情報読出手段によって読み出した予約情報に基づいて番組記録または番組視聴の予約設定を行う第２の予約内容設定手段と、前記第２の予約内容設定手段による設定内容にしたがって番組記録または番組視聴を実行する第２の番組記録／視聴手段とを備えることを特徴とする番組予約システム。
【発明の詳細な説明】
【技術分野】
【０００１】
本発明は、番組予約を行って放送番組の記録または視聴を行う番組予約システムに関する。
【背景技術】
【０００２】
従来から、電子番組案内（ＥＰＧ）を用いて再生対象や予約対象の放送番組を指定する車載受信機が知られている（例えば、特許文献１参照。）。この車載受信機では、番組予約実行時に番組の受信が困難な場合には、予約データを家庭に設置された受信装置に送ってこの予約データで特定された番組の記録が行われる。この車載受信機では、車両のアクセサリースイッチがオフされているときに番組の予約時間が到来すると、その時点において番組の受信が困難であるため予約データが家庭の受信装置に送信されるようになっている。
【特許文献１】特開２００５−１８４３１６号公報（第５−１２頁、図１−５）
【発明の開示】
【発明が解決しようとする課題】
【０００３】
ところで、上述した従来の車載受信機では、利用者は、帰宅時等において車両から降りる際に番組の予約内容を確認しようとしたときに操作が煩雑であるという問題があった。車両から降りる際に予約内容を確認することができれば、家庭に設置された受信装置で予約番組を視聴することが可能であるか否かを判断し、可能な場合には番組予約を取り消す必要がある。また、番組予約の有無自体を正確に記憶していない場合に再度予約内容を見たいこともある。番組予約が可能な車載受信機では当然ながら予約内容の確認が可能であるが、そのための操作が必要になる。一般に、番組予約内容の確認操作の優先順位は、通常の受信操作に比べて低いため、予約内容を表示させるためにはリモコンの操作ボタン等を何回か操作する必要があり、操作が煩雑になる。また、車載受信機とナビゲーション装置等で表示装置を共用している場合であって、車両から降りる際にナビゲーション装置用の表示がなされている場合には、表示内容を車載受信機用に切り替える操作も必要になるため、操作はさらに煩雑になる。さらに、エンジン停止後にこれらの操作を行う場合には、煩雑な操作に伴って操作時間が長くなればそれだけ車載バッテリの電力を消費することになるため好ましくない。
【０００４】
本発明は、このような点に鑑みて創作されたものであり、その目的は、番組予約内容の確認や内容変更に必要な操作を簡略化することができる番組予約システムを提供することにある。
【課題を解決するための手段】
【０００５】
上述した課題を解決するために、本発明の番組予約システムは、車両に搭載された移動受信機と、車両以外の場所に設置された固定受信機とが備わっており、移動受信機は、番組記録または番組視聴の予約設定を行う第１の予約内容設定手段と、第１の予約内容設定手段による設定内容にしたがって番組記録または番組視聴を実行する第１の番組記録／視聴手段と、電源切断時に、第１の予約内容設定手段によって設定された予約内容であって第１の番組記録／視聴手段による番組記録または番組視聴が実行されていない予約番組リストを表示させるリスト処理手段とを備えている。電源切断時に自動的に予約番組リストを表示させることにより、予約番組リストを表示させるために特別な操作が不要であって、番組予約内容の確認に必要な操作を簡略化することができる。
【０００６】
また、上述した電源切断時は、車両のアクセサリースイッチがオフされたときであることが望ましい。これにより、帰宅時等においてキースイッチを操作してアクセサリースイッチをオフしたときに自動的に予約番組リストが表示されるため、移動受信機の電源のみを切断するために必要な操作も省略することができ、さらに操作の簡略化が可能になる。
【０００７】
また、上述したリスト処理手段は、予約番組リストを所定時間表示させるとともに、この表示時間内に利用者による何らかの操作がなされない場合には予約番組リストの表示を終了させることが望ましい。これにより、内容確認が終了した予約番組リストの表示を終了させるために必要な操作を省略することができる。
【０００８】
また、上述したリスト処理手段によって予約番組リストが表示されているときに、この予約番組リストに含まれる番組予約の内容を変更する予約内容変更手段をさらに備えることが望ましい。これにより、番組予約の内容変更までに必要な一連の操作を簡略化することが可能になる。
【０００９】
また、上述した予約番組リストには、番組毎の所要時間とともに、番組毎の予約の削除指示が選択可能な状態で含まれており、予約内容変更手段は、操作部を用いて削除指示が選択された番組の予約を取り消すことが望ましい。これにより、番組予約の内容変更としての予約の取り消しを行うまでに必要な一連の操作を簡略化することが可能になる。
【００１０】
また、上述した予約番組リストには、番組毎の所要時間とともに、番組毎の予約情報を固定受信機に向けて送信する転送指示が選択可能な状態で含まれており、移動受信機は、操作部を用いて転送指示が選択された番組に対応する予約情報を固定受信機に向けて送信する予約情報送信手段をさらに備え、固定受信機は、移動受信機から送られてくる予約情報を受信する予約情報受信手段と、予約情報受信手段によって受信した予約情報に基づいて番組記録または番組視聴の予約設定を行う第２の予約内容設定手段と、第２の予約内容設定手段による設定内容にしたがって番組記録または番組視聴を実行する第２の番組記録／視聴手段とを備えることが望ましい。あるいは、上述した予約番組リストには、番組毎の所要時間とともに、番組毎の予約情報を挿抜可能な情報記録媒体に書き込む転送指示が選択可能な状態で含まれており、移動受信機は、操作部を用いて転送指示が選択された番組に対応する予約情報を情報記録媒体に書き込む予約情報書込手段をさらに備え、固定受信機は、情報記録媒体に書き込まれた予約情報を読み出す予約情報読出手段と、予約情報読出手段によって読み出した予約情報に基づいて番組記録または番組視聴の予約設定を行う第２の予約内容設定手段と、第２の予約内容設定手段による設定内容にしたがって番組記録または番組視聴を実行する第２の番組記録／視聴手段とを備えることが望ましい。これにより、移動受信機の電源切断後に番組予約の実行が不可能になった番組の記録を家庭等に設置された固定受信機で継続的に行うことが可能になるとともに、そのために必要な一連の操作を簡略化することができる。
【発明を実施するための最良の形態】
【００１１】
以下、本発明を適用した一実施形態の番組予約システムについて、図面を参照しながら詳細に説明する。図１は、一実施形態の番組予約システムの概略的な構成を示す図である。図１に示すように、本実施形態の番組予約システムは、車両に搭載された移動受信機としてのデジタル放送受信機１００と、家庭等の車両以外の場所に設置された固定受信機としてのデジタル放送受信機１００Ａとを含んで構成されている。車両に搭載された一方のデジタル放送受信機１００は予約情報の送信機能を有しており、家庭等に設置された他方のデジタル放送受信機１００Ａはこの予約情報の受信機能を有している。また、この予約情報の送受信は無線によって行われるが、無線の具体的な内容については予約情報の送受信が可能な方式であればどのようなものであってもよい。例えば、車両に搭載されたデジタル放送受信機１００からは携帯電話やアクセスポイント等を介して予約情報を送信し、家庭等に設置されたデジタル放送受信機１００Ａでは公衆電話網等を介して予約情報を受信する場合が考えられる。また、予約情報の送受信は、公衆電話網等の交換回線を介して行う場合の他、インターネット等のネットワークを介したパケット通信等によって行う場合が考えられる。あるいは、自宅の車庫に駐車した際に予約情報を送受信する場合には、デジタル放送受信機１００、１００Ａの双方に接続されたアンテナ間で電波を送受信することで予約情報の送受信を行うようにしてもよい。
【００１２】
図２は、車両に搭載されたデジタル放送受信機１００の詳細構成を示す図である。図２に示すように、デジタル放送受信機１００は、フロントエンド部（Ｆ／Ｅ）１０、ベースバンド処理部１２、データ分離部１４、音声／映像デコード部１６、アンプ１８、制御部２０、画像合成部２２、番組記録再生処理部２４、ハードディスク装置２６、操作部２８、通信処理部３２を含んで構成されている。
【００１３】
フロントエンド部１０は、アンテナ３０を介して受信した放送信号の中から所望の受信周波数成分を抽出するとともに、この抽出した信号に対して周波数変換を行った中間周波信号を出力する。ベースバンド処理部１２は、フロントエンド部１０から出力される中間周波信号に対してＱＰＳＫ復調、アナログ−デジタル変換、エラー訂正（ＦＥＣ：Forward Error Correction）等を行うことにより、ＭＰＥＧ２形式のトランスポートストリームを生成する。
【００１４】
データ分離部１４は、トランスポートストリームに含まれるＶｉｄｅｏトランスポートパケット、Ａｕｄｉｏトランスポートパケット、システムトランスポートパケットから、それぞれに対応する映像データ、音声データ、付加情報を分離する。この付加情報には、電子番組案内ＥＰＧを作成するために必要なイベント・インフォメーション・テーブル（ＥＩＴ：Event Information Table ）等が含まれている。このテーブルには、各放送チャンネル毎に番組の名称、番組開始時刻、番組長（放送時間長）等の情報が含まれている。
【００１５】
音声／映像デコード部１６は、入力される映像データを映像信号に、音声データを音声信号にそれぞれデコードするとともに、これらの音声信号をアンプ１８に、映像信号を画像合成部２２に出力する。
【００１６】
制御部２０は、デジタル放送受信機１００全体を制御するものであり、フロントエンド部１０による受信周波数の設定や、ベースバンド処理部１２、音声／映像デコード部１６に対する視聴対象のチャンネルの指示や、付加情報に基づく電子番組案内ＥＰＧの生成およびこの電子番組案内ＥＰＧを用いた番組の検索等の各種制御を行う。電子番組案内ＥＰＧは、所定の表示形式の画像として生成され、画像合成部２２に向けて出力される。
【００１７】
また、制御部２０は、受信した各放送番組に対する番組予約（記録または視聴の予約）や、この番組予約内容に基づく放送番組の記録または視聴制御（番組予約がなされた放送時間帯になったときに記録または視聴を指示する制御）、記録された放送番組の再生制御を行う。制御部２０は、番組予約等に関連する処理を行うために、録画・視聴設定部２０ａ、録画・視聴リスト処理部２０ｂ、ホーム転送指示送信部２０ｃを含んでいる。録画・視聴設定部２０ａは、番組記録・視聴の予約設定と、予約内容の変更設定を行う。録画・視聴リスト処理部２０ｂは、デジタル放送受信機１００の電源切断時に、録画・視聴設定部２０ａによって設定された予約内容であって番組記録・視聴が実行されていない予約番組リストを作成して表示する処理を行う。作成された予約番組リストは、画像合成部２２に送られてディスプレイ装置４０に表示される。ホーム転送指示送信部２０ｃは、予約番組リストに含まれる少なくとも一部の番組についての予約情報を、家庭等に設置されたデジタル放送受信機１００Ａに転送する処理を行う。予約番組リストの表示例については後述する。
【００１８】
画像合成部２２は、音声／映像デコード部１６から入力される映像信号と制御部２０から入力される画像（ＥＰＧの画像の他に制御部２０によって生成される予約番組リストやその他の文字データ等の画像が含まれている）を合成し、外部接続されたディスプレイ装置４０に映像を表示する。
【００１９】
番組記録再生処理部２４は、制御部２０による記録制御にしたがって、受信中あるいは番組予約された放送番組の内容を所定方式（例えばＭＰＥＧ２方式）で圧縮してハードディスク装置２６に記録するとともに、制御部２０による再生制御にしたがって、ハードディスク装置２６に記録された放送番組を再生する。例えば、番組記録再生処理部２４は、再生処理を行うために上述した音声／映像デコード部１６と同様の機能を有しており、再生処理時には映像信号を画像合成部２２に、音声信号をアンプ１８にそれぞれ入力する（図１ではそれぞれの入力経路については省略されている）。
【００２０】
操作部２８は、視聴対象となる放送番組の指定や、番組予約および記録された番組の再生指示等を行うものである。また、操作部２８は、予約番組リストが表示された状態で、その中の一部の番組に対する予約内容の変更を指示するために用いられる。通信処理部３２は、デジタル放送受信機１００がデジタル放送受信機１００Ａとの間でデータ通信（予約情報の送信）を行うために必要な処理を行う。この通信処理部３２には、携帯電話３４が外付けされており、携帯電話３４を用いて予約情報が送信される。
【００２１】
図３は、予約番組リストの具体例を示す図である。図３に示す予約番組リストは、予約された番組の内容を示すものであり、デジタル放送受信機１００の電源切断時に、録画・視聴設定部２０ａによって設定された予約内容であって番組記録または番組視聴が実行されていない予約番組のみが含まれている。予約番組のそれぞれには、「番組名」、「番組時間」、「開始日時（番組開始時刻）」、「終了日時（番組終了時刻）」、「対応」が含まれている。「番組名」は、ＥＰＧを用いて録画・視聴予約を行った場合にはその中に含まれる番組の名称が用いられる。また、ＥＰＧを用いない場合には番組の名称がわからないため、「番組名」が空欄になるか利用者が操作部２８を用いて入力した文字列等が用いられる。「番組時間」は、ＥＰＧを用いて録画・視聴設定を行った場合にはその中に含まれる番組長（放送時間長）が用いられる。また、ＥＰＧを用いない場合には番組開始時刻と番組終了時刻を用いて計算された時間が用いられる。
【００２２】
「対応」は、デジタル放送受信機１００の電源切断後の動作を指示するための選択肢を提供するものであり、「録画」、「キャンセル」、「ホーム転送」の３つの項目が含まれている。本実施形態のデジタル放送受信機１００は、電源切断後であっても所定時間だけ番組記録が可能であり、この番組記録のために番組予約を維持したい場合には「録画」が選択される。なお、予約番組リストの左下には「録画可能時間」が表示されている（図３に示す例では３０分）。録画可能時間としては一定値を用いてもよいし、デジタル放送受信機１００に二次電池を内蔵することで電源切断後の番組記録を行う場合には二次電池の残量に応じた値を用いたり、ハードディスク装置２６のその時点における記録可能な容量を検出してこの容量に応じた値を用いるようにしてもよい。また、二次電池を用いずに車載のバッテリから供給される電力を用いて電源切断後の番組記録を行うようにしてもよい。利用者は、番組予約を維持したい番組に対応する「録画」を選択することにより、録画可能時間の設定値以内で番組を選択することができる（選択した番組の数や録画時間によっては、これらの番組の録画時間の累積時間が録画可能時間を超えてしまう場合もあるが、このような場合にはその旨を通知する警告を出すことが望ましい）。また、番組予約を取り消す場合には「キャンセル」が選択される。予約内容を示す予約情報を家庭等に設置されたデジタル放送受信機１００Ａに送信してデジタル放送受信機１００Ａにおいて該当番組の番組予約を続行したい場合には「ホーム転送」が選択される。
【００２３】
また、予約番組リストの右下には「全キャンセル」と「決定」が含まれている。「全キャンセル」は、各番組に対応する「キャンセル」を全番組について選択する操作と同等の操作を１回の選択操作によって行うためのものである。また、「決定」は、「対応」に含まれる「録画」等の選択状態や「全キャンセル」の操作状態を確定するためのものである。なお、上述した「録画」、「キャンセル」「ホーム転送」、「全キャンセル」、「決定」を選択する操作は、選択対象項目にカーソルをあわせた状態で操作部２８の所定キーを押下したり、タッチパネル方式の操作部２８を用いた場合にはディスプレイ装置４０に表示された予約番組リスト中の該当箇所を指等で直接触れることで行うことができる。
【００２４】
図４は、ホーム転送が指示されて予約情報が転送される家庭等に設置されたデジタル放送受信機１００Ａの詳細構成を示す図である。図４に示すように、デジタル放送受信機１００Ａは、図２に示した車載のデジタル放送受信機１００とほぼ同じ構成を有しており、制御部２０を制御部２０Ａに置き換えた構成を有している。制御部２０Ａは、制御部２０と同様に、デジタル放送受信機１００Ａ全体を制御するものであり、フロントエンド部１０による受信周波数の設定や、ベースバンド処理部１２、音声／映像デコード部１６に対する視聴対象のチャンネルの指示や、付加情報に基づく電子番組案内ＥＰＧの生成およびこの電子番組案内ＥＰＧを用いた番組の検索等の各種制御を行う。また、制御部２０Ａは、録画・視聴設定部２０ａとホーム転送指示受信部２０ｄを含んでいる。ホーム転送指示受信部２０ｄは、デジタル放送受信機１００から送られてくる予約情報を受信する。制御部２０Ａ内の録画・視聴設定部２０ａは、操作部２８を用いた番組記録の予約設定や予約内容の変更設定を行うとともに、ホーム転送指示受信部２０ｄによって予約情報を受信した場合にはこの予約情報に基づいて予約内容の新たな設定を行う。
【００２５】
上述したデジタル放送受信機１００において、録画・視聴設定部２０ａが第１の予約内容設定手段、予約内容変更手段に、録画・視聴設定部２０ａおよび番組記録再生処理部２４、ハードディスク装置２６が第１の番組記録／視聴手段に、録画・視聴リスト処理部２０ｂがリスト処理手段に、ホーム転送指示送信部２０ｃが予約情報送信手段にそれぞれ対応する。また、デジタル放送受信機１００Ａにおいて、ホーム転送指示受信部２０ｄが予約情報受信手段に、録画・視聴設定部２０ａが第２の予約内容設定手段に、録画・視聴設定部２０ａおよび番組記録再生処理部２４、ハードディスク装置２６が第２の番組記録／視聴手段にそれぞれ対応する。
【００２６】
本実施形態の番組予約システムはこのような構成を有しており、次にその動作を説明する。図５は、車載のデジタル放送受信機１００における電源切断時に番組予約内容の確認と変更を行う動作手順を示す流れ図である。録画・視聴リスト処理部２０ｂは、車両のアクセサリー（ＡＣＣ）スイッチがオフされたか否かを判定しており（ステップ１００）、アクセサリースイッチがオンされている場合には否定判断を行ってこの判定を繰り返す。また、アクセサリースイッチがオフされるとステップ１００の判定において肯定判断が行われ、録画・視聴リスト処理部２０ｂは、録画可能時間を判定した後（ステップ１０１）、図３に示す予約番組リストを作成して表示する（ステップ１０２）。なお、録画可能時間が一定値に設定される場合には録画可能時間を判定するステップ１０１の動作は省略される。
【００２７】
次に、録画・視聴リスト処理部２０ｂは、予約番組リストに含まれる「決定」が選択されたか否かを判定する（ステップ１０３）。「決定」が選択されない場合には否定判断が行われ、録画・視聴リスト処理部２０ｂは、予約番組リストに含まれる「全キャンセル」が選択されたか否かを判定する（ステップ１０４）。「全キャンセル」も選択されない場合には否定判断が行われ、録画・視聴リスト処理部２０ｂは、予約番組リストの表示を開始してから一定時間経過したか否かを判定する（ステップ１０５）。一定時間が経過していない場合には否定判断が行われ、ステップ１０３に戻って「決定」選択の有無を判定する動作以降が繰り返される。また、一定時間が経過した場合にはステップ１０５の判定において肯定判断が行われ、録画・視聴リスト処理部２０ｂは、予約番組リストの表示を終了させる（ステップ１０６）。これにより、番組予約内容の確認、変更に関する一連の動作が終了する。
【００２８】
また、予約番組リストが表示された状態で「全キャンセル」が選択されるとステップ１０４の判定において肯定判断が行われる。この場合には、録画・視聴設定部２０ａは、予約番組リストに含まれる全ての番組の予約情報を削除し、全ての予約を取り消す（ステップ１０７）。これにより、番組予約内容の確認、変更に関する一連の動作が終了する。
【００２９】
また、予約番組リストが表示された状態で「決定」が選択されるとステップ１０３の判定において肯定判断が行われる。次に、ホーム転送指示送信部２０ｃは、予約番組リストに含まれる少なくとも一の番組について「ホーム転送」が指示（選択）されているか否かを選択する（ステップ１０８）。「ホーム転送」が指示されている場合には肯定判断が行われ、ホーム転送指示送信部２０ｃは、通信処理部３２を介して固定受信機としてのデジタル放送受信機１００Ａとの間で通信を行ってデジタル放送受信機１００Ａが通信可能状態にあるか否かを判定する（ステップ１０９）。通信不可能な場合（回線異常やデジタル放送受信機１００Ａの電源が入っていない場合などの他に、デジタル放送受信機１００Ａのハードディスク装置２６の容量が少なくて番組記録が行えない場合も通信不可能な場合として扱われるものとする）には否定判断が行われ、所定のエラー表示が行われる（ステップ１１０）。
【００３０】
また、通信可能な場合にはステップ１０９の判定において肯定判断が行われ、ホーム転送指示送信部２０ｃは、「ホーム転送」が指示されている番組の予約内容を示す予約情報をデジタル放送受信機１００Ａに向けて送信する（ステップ１１１）。また、録画・視聴設定部２０ａは、予約情報の送信が指示された番組（「ホーム転送」が指示された番組）とキャンセルが指示された番組についての予約情報を削除して番組予約を取り消す（ステップ１１２）。このようにして、番組予約内容の確認、変更に関する一連の動作が終了する。その後、デジタル放送受信機１００の電源が切断される。
【００３１】
次に、車載のデジタル放送受信機１００から送信された予約情報を受信するデジタル放送受信機１００Ａの動作を説明する。図６は、家庭等に設置されたデジタル放送受信機１００Ａにおける予約情報受信時の動作手順を示す流れ図である。ホーム転送指示受信部２０ｄは、予約情報を受信したか否かを判定しており（ステップ２００）、受信していない場合には否定判断を行ってこの判定を繰り返す。また、予約情報を受信するとステップ２００の判定において肯定判断が行われ、制御部２０Ａは、デジタル放送受信機１００Ａの電源を投入する（ステップ２０１）。その後、録画・視聴設定部２０ａは、受信した予約情報に対応する番組について番組予約を行う（ステップ２０２）。この番組予約動作が終了すると、制御部２０Ａはデジタル放送受信機１００Ａの電源を切断する（ステップ２０３）。なお、このようにして行われる番組予約は、操作部２８を用いて利用者自身が行う番組予約と同じであり、番組開始時刻になると自動的に電源が投入されて番組内容の記録または視聴動作が行われる。
【００３２】
このように、本実施形態のデジタル放送受信機１００では、電源切断時に自動的に予約番組リストを表示させることにより、予約番組リストを表示させるために特別な操作が不要であって、番組予約内容の確認に必要な操作を簡略化することができる。特に、帰宅時等においてキースイッチを操作してアクセサリースイッチをオフしたときに自動的に予約番組リストが表示されるため、移動受信機としてのデジタル放送受信機１００の電源のみを切断するために必要な操作を省略することができ、さらに操作の簡略化が可能になる。
【００３３】
また、予約番組リストを所定時間表示させるとともに、この表示時間内に利用者による操作がなされない場合には予約番組リストの表示を終了させることにより、内容確認が終了した予約番組リストの表示を終了させるために必要な操作を省略することができる。
【００３４】
また、上述したリスト処理手段によって予約番組リストが表示されているときに、この予約番組リストに含まれる番組予約の内容を変更することができるため、番組予約の内容変更までに必要な一連の操作を簡略化することが可能になる。
【００３５】
また、予約番組リストには、番組毎の所要時間（番組時間）とともに、番組毎の予約の削除指示（キャンセル）が選択可能な状態で含まれており、番組予約の内容変更として予約の取り消しを行うまでに必要な一連の操作を簡略化することが可能になる。
【００３６】
また、予約番組リストには、番組毎の所要時間とともに、番組毎の予約情報を固定受信機としてのデジタル放送受信機１００Ａに向けて送信する転送指示（ホーム転送）が選択可能な状態で含まれており、移動受信機としてのデジタル放送受信機１００の電源切断後に番組予約の実行が不可能になった番組の記録を家庭等に設置されたデジタル放送受信機１００Ａで継続して行うことが可能になるとともに、そのために必要な一連の操作を簡略化することができる。
【００３７】
なお、本発明は上記実施形態に限定されるものではなく、本発明の要旨の範囲内において種々の変形実施が可能である。上述した実施形態では、デジタル放送受信機１００Ａへの予約情報の転送を無線通信で行ったが、メモリカード等の挿抜可能な情報記録媒体に書き込んで行うようにしてもよい。例えば、デジタル放送受信機１００に備わった通信処理部３２を予約情報書込手段としてのメモリカードスロットを有するインタフェース部に置き換えるとともに、デジタル放送受信機１００Ａに備わった通信処理部３２を予約情報読出手段としてのメモリカードスロットを有するインタフェース部に置き換えればよい。デジタル放送受信機１００では、図５に示すステップ１０９の動作の代わりにメモリカードが装着されているか否かがチェックされ、ステップ１１１の動作の代わりにメモリカードに対する予約情報の書込みが行われる。また、デジタル放送受信機１００Ａでは、図６に示すステップ２００の動作の代わりに、装着されたメモリカードに書き込まれている予約情報の読み出しが行われる。なお、メモリカード等の半導体メモリだけでなく、ミニディスク（ＭＤ）等の記録媒体を用いるようにしてもよい。
【００３８】
また、上述した実施形態では、デジタル放送受信機１００で番組予約を行うようにしたが、ラジオ受信機やその他の受信機（例えばデジタル放送受信機以外のアナログテレビ放送用の受信機）において音声や画像を記録する番組予約について本発明を適用することができる。また、家庭等に設置されたデジタル放送受信機１００Ａは、車載のデジタル放送受信機１００とほぼ同じ構成を備えるようにしたが、番組予約の実行を行うことが可能であればよいため、必ずしも同じ構成を備える必要はない。例えば、家庭等に設置されたパーソナルコンピュータに番組受信機能や番組予約機能を持たせた場合にはこのパーソナルコンピュータに予約情報を送るようにしてもよい。
【図面の簡単な説明】
【００３９】
【図１】一実施形態の番組予約システムの概略的な構成を示す図である。
【図２】車両に搭載されたデジタル放送受信機の詳細構成を示す図である。
【図３】予約番組リストの具体例を示す図である。
【図４】ホーム転送が指示されて予約情報が転送される家庭等に設置されたデジタル放送受信機の詳細構成を示す図である。
【図５】車載のデジタル放送受信機における電源切断時に番組予約内容の確認と変更を行う動作手順を示す流れ図である。
【図６】家庭等に設置されたデジタル放送受信機における予約情報受信時の動作手順を示す流れ図である。
【符号の説明】
【００４０】
１０  フロントエンド部（Ｆ／Ｅ）
１２  ベースバンド処理部
１４  データ分離部
１６  音声／映像デコード部
１８  アンプ
２０  制御部
２０ａ  録画・視聴設定部
２０ｂ  録画・視聴リスト処理部
２０ｃ  ホーム転送指示送信部
２０ｄ  ホーム転送指示受信部
２２  画像合成部
２４  番組記録再生処理部
２６  ハードディスク装置
２８  操作部
３０  アンテナ
３２  通信処理部
３４  携帯電話
４０  ディスプレイ装置
４２  スピーカ
１００、１００Ａ  デジタル放送受信機
【図１】
2007180897.tif 000003
【図２】
2007180897.tif 000004
【図３】
2007180897.tif 000005
【図４】
2007180897.tif 000006
【図５】
2007180897.tif 000007
【図６】
2007180897.tif 000008